(57)【要約】【課題】  遊技中の遊技者に不快感を与えず、悪意の遊技者の不正行為を防止する。【解決手段】  本発明に係る遊技機１１の施錠装置は、施錠金具３５には上下方向に傾動可能なフック部材４４が設けられ、施錠受け金具３７にはフック部材４４が係合可能な施錠受け部８１が設けられ、フック部材４４と施錠受け部８１との間の前後方向の間隙を填塞可能な間隙填塞部材９６と、間隙填塞部材９６を間隙１００に対して進退可能なように施錠受け部８１に沿って昇降させる昇降操作部材８５とを備え、昇降操作部材８５は、回転することにより間隙填塞部材９６に対して少なくとも降下方向への力を作用可能な作用部８８と、作用部８８から前方に延出し、操作具９３が係合可能な係合部９２とを備え、開閉搭載枠１３の前面側から操作可能なように構成されていることを特徴とする。【選択図】  図４ 
2005304823.tif 000002
【特許請求の範囲】
【請求項１】
基枠に開閉可能に支持された開閉搭載枠の施錠金具が前記基枠の施錠受け金具に係止することにより、前記開閉搭載枠が前記基枠に閉鎖状態に保持されるように構成された遊技機の施錠装置であって、
前記施錠金具には上下方向に傾動可能なフック部材が設けられ、前記施錠受け金具には前記フック部材が係合可能な施錠受け部が設けられており、
前記フック部材と前記施錠受け部との間の前後方向の間隙を填塞可能な間隙填塞部材と、該間隙填塞部材を前記間隙に対して進退可能なように前記施錠受け部に沿って昇降させる昇降操作部材とを備え、
前記昇降操作部材は、回転することにより前記間隙填塞部材に対して少なくとも降下方向への力を作用可能な作用部と、該作用部から前方に延出し、操作具が係合可能な係合部とを備え、前記開閉搭載枠の前面側から操作可能なように構成されていることを特徴とする遊技機の施錠装置。
【発明の詳細な説明】
【技術分野】
【０００１】
本発明は、基枠に開閉可能に支持された開閉搭載枠の施錠金具が前記基枠の施錠受け金具に係止することにより、開閉搭載枠が基枠に閉鎖状態に保持されるように構成された遊技機の施錠装置に関する。
【背景技術】
【０００２】
従来、パチンコ遊技機やスロットマシン等の遊技機には、遊技島に設置するための設置枠台としての基枠（通常、パチンコ遊技機では「外枠」、スロットマシンでは「キャビネット」と称する。）と、この基枠の正面左側上下に設けられたヒンジ機構を介して基枠に対して横方向に開閉可能に支持された開閉搭載枠（通常、パチンコ遊技機では「前枠」、スロットマシンでは「フロントマスク」と称する。）とが設けられている。
【０００３】
そして、遊技機の正面右側には、上下２箇所に、開閉搭載枠側の施錠金具と基枠側の施錠受け金具とから成る施錠装置が設けられており、その施錠受け金具の施錠受け部に施錠金具のフック部材が係合することにより、前記開閉搭載枠が基枠に対して閉鎖状態に保持され、遊技機が遊技に供されるようになっている。（例えば、特許文献１参照）。
【０００４】
【特許文献１】特開２００２−１５９７１１号公報
【発明の開示】
【発明が解決しようとする課題】
【０００５】
しかしながら、上記した従来の遊技機では、基枠に対して開閉搭載枠を開閉可能に設けるために、施錠装置の施錠金具と施錠受け金具との係合部分やヒンジ機構に、逃げ寸法としてある程度の間隙を設けざるを得なかった。そのため、開閉搭載枠が閉鎖状態に保持され、遊技に供された状態において、開閉搭載枠が基体に対して前後左右方向に僅かに揺動するのを防止することができなかった。
【０００６】
したがって、例えば、スロットマシンの場合には、遊技中、フロントマスクに設けられたスタートレバーやストップスイッチ等の操作具を操作する際にフロントマスクが揺動し、遊技者に不快感を与えるおそれがあった。また、パチンコ遊技機の場合には、上記したスロットマシンの場合と同様の問題に加えて、前枠に搭載された遊技盤が揺動すると、遊技領域における遊技球の転動方向が変化するため、このことを悪用して、前枠を故意に揺動させて遊技球の転動方向を変化させる不正行為を行う遊技者が出現するといった問題があった。この問題は、クルーンと呼ばれる役物を採用している遊技機においては、遊技球の転動方向の変化により、特別遊技に移行する条件となる入賞口への入賞率が変化し、遊技球の出球率が大きく変わるため、特に、深刻であった。
【０００７】
本発明は、上記した課題を解決すべくなされたものであり、遊技中の遊技者に不快感を与えることがなく、悪意の遊技者の不正行為を防止することが可能な遊技機の施錠装置を提供しようとするものである。
【課題を解決するための手段】
【０００８】
本発明は、基枠１２に開閉可能に支持された開閉搭載枠１３の施錠金具３５が基枠１２の施錠受け金具３７に係止することにより、開閉搭載枠１３が基枠１２に閉鎖状態に保持されるように構成された遊技機１１の施錠装置１５であって、施錠金具３５には上下方向に傾動可能なフック部材４４が設けられ、施錠受け金具３７にはフック部材４４が係合可能な施錠受け部８１が設けられており、フック部材４４と施錠受け部８１との間の前後方向の間隙を填塞可能な間隙填塞部材９６と、間隙填塞部材９６を間隙１００に対して進退可能なように施錠受け部８１に沿って昇降させる昇降操作部材８５とを備え、昇降操作部材８５は、回転することにより間隙填塞部材９６に対して少なくとも降下方向への力を作用可能な作用部８８と、作用部８８から前方に延出し、操作具９３が係合可能な係合部９２とを備え、開閉搭載枠１３の前面側から操作可能なように構成されていることを特徴とする。
【発明の効果】
【０００９】
本発明によれば、基枠に対する開閉搭載枠の揺動を防止することができるので、遊技中の遊技者に不快感を与えることがなく、また、悪意の遊技者の不正行為を防止することができる。
【発明を実施するための最良の形態】
【００１０】
以下、図面を参照しつつ、本発明の実施の形態について説明する。なお、以下の説明では、本発明をパチンコ遊技機に使用した場合を例示して説明する。
【００１１】
先ず、図１〜図３を参照しつつ、本発明の第１の実施の形態におけるパチンコ遊技機の概略構成について説明する。ここで、図１は本実施の形態におけるパチンコ遊技機を示す正面図及びその施錠装置を拡大して示す正面図、図２はそのパチンコ遊技機を開放した状態を示す背面図及びその施錠装置を拡大して示す背面図、図３はそのパチンコ遊技機を示す側面図及びその施錠装置を拡大して示す側面図である。
【００１２】
このパチンコ遊技機１１は、基枠として方形枠状に形成された外枠１２と、この外枠１２の開口面域に整合するように方形状に形成された開閉搭載枠としての前枠１３とを備えており、前枠１３は、外枠１２に対して、外枠１２の正面左側上下に設けられたヒンジ金具１４ａ，１４ｂにより開閉可能に取り付けられていると共に、正面右側に設けられた施錠装置１５により閉鎖状態に保持されるようになっている。
【００１３】
前枠１３には、遊技盤１６が収容されており、遊技盤１６の前面側には、図柄表示装置の表示部１７、中央飾り１８、始動入賞口１９、大入賞口２０等の各種遊技部品がそれぞれ配設され、遊技領域２１が形成されている。そして、前枠１３の正面側には、ガラス扉２２が開閉可能且つ着脱可能に取り付けられ、ガラス扉２２は施錠装置１５により前枠１３に閉鎖状態に保持されるようになっている。また、前枠１３のガラス扉２２の下方には上球皿２３が設けられ、その上球皿２３の下方には下球皿２４が設けられ、さらに、下球皿２４の正面右側には発射ハンドル２５が前方に突出して設けられている。
【００１４】
一方、前枠１３の背面側には裏セット盤２６が設けられている。その裏セット盤２６は、背面側から見て右側の上下に設置されたヒンジ２７ａ，２７ｂにより開閉可能に設けられ、さらに、閉鎖レバー２８ａ，２８ｂ，２８ｃにより遊技盤１６の裏面を覆うように閉鎖状態に保持されるようになっている。そして、裏セット盤２６には、予備賞球を貯留する球貯留タンク２９、遊技球を整列状態で待機させる待機通路３０、遊技盤１６での入賞状態等に基づき賞球を払い出す球払出装置３１、球払出装置３１から払い出された賞球を上球皿２３又は下球皿２４に排出するための球払出通路３２等の賞球装置が装備されていると共に、電源基板３３や遊技制御基板３４等の各種回路基板及び電子部品等が取付けられている。
【００１５】
次に、図１〜図３を参照しつつ、このパチンコ遊技機１１における施錠装置１５の概略構成について説明する。
【００１６】
施錠装置１５は、前枠１３の右側部背面側に設けられた施錠金具３５と、外枠１２の右側枠杆３６の内面側において上下２箇所に設けられた施錠受け金具３７とから構成されている。
【００１７】
施錠金具３５は、略Ｌ字状に折曲成形されたベース板３８を基体として構成されており、ベース板３８には、前枠１３の右側部背面に沿って複数のネジにより固定される固定片４０と、固定片４０の左側部から後方に折曲された立設片４１とが形成されている。そして、立設片４１の上下端部には、それぞれ、内側方に延出する支持片部４２が形成されており、各支持片部４２にはリベット状の傾動支点４３を介して上下のフック部材４４が傾動可能に枢設されている。
【００１８】
この上下のフック部材４４の各基端部には、リベット状の連結支点４５を介してそれぞれ第１昇降杆４６の上下端部が枢設されており、第１昇降杆４６は、固定片４０に突設された複数のガイド突部４７と立設片４１とにより左右方向への変位が規制されるようになっている。また、第１昇降杆４６は、固定片４０との間に掛け渡されたバネ４８により下方に付勢されていると共に、立設片４１の下端に突設されたストッパ部４９により、下方への移動が規制されるようになっている。これにより、フック部材４４と第１昇降杆４６とはリンク機構を構成し、通常は、フック部材４４及び第１昇降杆４６が所定の施錠位置に保持されており、第１昇降杆４６をバネ４８の付勢力に抗して上昇させると、傾動支点４３を支点として上下のフック部材４４の先端部が略水平姿勢から下方に傾動し、解錠状態に移行するようになっている。
【００１９】
ベース板３８の立設片４１と第１昇降杆４６の間には、ガラス扉２２を施錠又は解錠するための第２昇降杆５０が挟装されており、第２昇降杆５０は、第１昇降杆４６に形成された第１案内長孔５１と第２昇降杆５０に形成された第２案内長孔５２とを貫通して立設片４１に固着されたリベット状の案内ピン５３により、昇降可能に保持されている。また、第２昇降杆５０には、内側方に折曲された操作片５４が形成されており、操作片５４は立設片４１に形成された長孔（図示せず）を貫通している。さらに、第２昇降杆５０は、固定片４０との間に掛け渡されたバネ５５により上方に付勢されていると共に、前記長孔の上端面と操作片５４の上端部とが当接することにより施錠位置に保持されるようになっている。
【００２０】
ベース板３８の固定片４０の中央部分には、前枠１３の前面側に鍵穴５６が露出するように錠５７が取り付けられており、錠５７の回動軸５８の後端には解錠盤５９が固定されている。解錠盤５９には、それぞれ第１突出端部６０及び第２突出端部６１が内側方に突出して形成されており、第１突出端部６０は前枠１３を解錠させるために機能し、第２突出端部６１はガラス扉２２を解錠させるために機能するようになっている。そして、解錠盤５９は、解錠操作時以外には中立角度位置に保持され、鍵を鍵穴５６に挿入すると、回動軸５８が回動可能な状態になり、鍵を左右２方向に回転操作可能となっている。一方、第１昇降杆４６の第１突出端部６０及び第２突出端部６１に対応する位置には第１係合孔６２が形成されており、第１係合孔６２の開口端面６３に第１突出端部６０の先端が係合可能となっている。また、第２昇降杆５０の第２突出端部６１に対応する位置には第２係合孔６４が形成されており、第２係合孔６４の開口端面６５に第２突出端部６１の先端が係合可能となっている。
【００２１】
したがって、前枠１３の前面側から鍵穴５６に鍵を挿入し、右方向に回転させると、解錠盤５９は同方向（図２では左方向）に回転し、第１突出端部６０の先端が第１係合孔６２の開口端面６３に係合し、第１昇降杆４６はバネ４８の付勢力に抗して上昇すると共に上下のフック部材４４が傾動し、前枠１３が施錠状態から解錠状態に移行するようになっている。一方、前枠１３の前面側から鍵穴５６に挿入した鍵を左方向に回転させると、解錠盤５９は同方向（図２では右方向）に回転し、第２突出端部６１の先端が第２係合孔６４の開口端面６５に係合し、第２昇降杆５０はバネ５５の付勢力に抗して下降すると共に操作片５４が下降し、ガラス扉２２が施錠状態から解錠状態に移行するようになっている。
【００２２】
次に、図４〜図１０を参照しつつ、本発明の実施の形態に係る遊技機の施錠装置について説明する。なお、該実施の形態に係る施錠装置は上部及び下部共に同様の構成を有しているので、以下の説明では、説明の簡略化のため、施錠装置の上部を主体に説明する。
【００２３】
ここで、図４は該実施の形態に係る遊技機の施錠装置を背面側から示す分解斜視図、図５は施錠装置を前面側から示す斜視図、図６（ａ）は施錠装置の操作前の状態を示す側面図、図６（ｂ）はその操作後の状態を示す側面図、図７（ａ）〜（ｃ）は施錠装置の作用を示す側断面図、図８は施錠装置を示す平断面図、図９は施錠装置の図８より下方部分を示す平断面図、図１０（ａ）は施錠装置の操作前の状態を示す背面図、図１０（ｂ）はその操作後の状態を示す背面図である。
【００２４】
上記した施錠金具３５において、フック部材４４では、先端部分７１が内側にクランク状に折曲して形成されており、その先端部分７１の上端部には三角形状の受け部係合部７２が形成されている。受け部係合部７２の基端面７３は鉛直面に対して先端側に傾斜角度α、傾斜して形成されており（図７（ａ）参照）、この傾斜角度αは、傾動支点４３を中心として基端面７３の最下点を通過するように描いた半径ｒの円弧より基端面７３が外側に位置するように設定されている（図６（ｂ）参照）。そして、フック部材４４の先端部分７１には、外側面に先端曲面状の左右方向移動規制ピン７４が垂直に突設され、内側面に半球面状の施錠受け金具当接部７５が突設されている。また、立設片４１の支持片部４２の下端部には、フック部材４４の基端部分７６を挟み込むように折曲された挟持片部７７が形成されており、挟持片部７７によりフック部材４４の左右方向の変位を抑止可能となっている。なお、右側枠杆３６の内面前側角部には、図８に良く示されているように、ネジ逃げ用の座グリ部６６が切欠されており、ベース板３８固定用のネジ６７が右側枠杆３６に干渉しないようになっている。この場合、ネジ６７に皿ネジを使用すれば、座グリ部６６を設ける必要はない。
【００２５】
一方、上記した施錠受け金具３７には、ベース部材７８が設けられている。ベース部材７８は、右側枠杆３６の内面に形成された欠込み部７９に対してネジ止め等の固定手段により右側枠杆３６に固定される固定部８０と、固定部８０の前端において内方に垂直に折曲され、フック部材４４の受け部係合部７２が係合可能なように鉛直姿勢を成す施錠受け部８１と、施錠受け部８１の先端においてさらに後方に垂直に折曲された鉛直姿勢の左右方向移動規制部８２とから構成されており、左右方向移動規制部８２の下端部外側面には、フック部材４４の受け部係合部７２を施錠受け部８１に誘い込み易くするために、傾斜面８４が形成されている（図１０参照）。
【００２６】
固定部８０の下端には左右方向移動規制ピン７４が当接可能なように受け座９０が内方に突出してネジ止め等の固定手段により固定されており、受け座９０の下端部には、左右方向移動規制ピン７４を受け座９０に誘導し易くするために、案内部９１が傾斜して形成されている。このように、受け座９０を内方に突設させることにより、左右方向移動規制ピン７４の外方への突出長の短縮化が図れるので、前枠１３の開閉操作時に左右方向移動規制ピン７４が右側枠杆３６に干渉するのを防止するために右側枠杆３６の内面前側部分を欠き込む等の加工を行う必要がなくなり、外枠１２の加工作業を省力化することができると共に、外枠１２の強度を保持することができる。
【００２７】
施錠受け部８１には、上部に支持孔８３が穿設されており、その支持孔８３には、回転可能なように昇降操作部材８５が挿通されている。昇降操作部材８５は、支持孔８３に挿通される連結ロッド８６と、連結ロッド８６の前端側に形成された操作部８７と、連結ロッド８６の後端側に嵌着される変位カム８８とから構成され、操作部８７と施錠受け部８１との間には円筒スリーブ８９が介装されている。そして、操作部８７の前端部には、六角柱状の係合部９２が形成されており、前枠１３の前面側から六角レンチ等の操作具９３をこの係合部９２に係合させ、回転させると、変位カム８８は、回転し、後述する間隙填塞部材９６に当接し、その間隙填塞部材９６に対して降下方向に力を作用する作用部として機能するようになっている。また、前枠１３には操作具挿入用の操作孔６８が形成されており、この操作孔６８に操作具９３を通すことにより、前枠１３の前面側から変位カム８８の回転操作が可能となっている。さらに、変位カム８８の後端部には、六角柱状の係合部９４が形成されており、この係合部９４に操作具９３を係合させ、回転させることにより、後方からも変位カム８８を操作可能なようになっている。
【００２８】
また、施錠受け金具８１には、支持孔８３の下方に矩形状の欠込み部９５が形成されており、この欠込み部９５に間隙填塞部材９６が設けられている。間隙填塞部材９６は、水平板状の変位カム当接部９７と、変位カム当接部９７の下面に鉛直に設けられた前後一対のスライドガイド部９８，９９とを主体に構成されている。変位カム当接部９７の外周部には施錠受け金具８１に係合可能なガイド溝１０６が形成されていると共に、前後のスライドガイド部９８，９９は施錠受け金具８１を挟持可能に形成されており、これらにより、間隙填塞部材９６は施錠受け金具８１に沿って昇降可能なようになっている。
【００２９】
また、後側のスライドガイド部９９には欠込み部９５に対応した位置に矩形の板バネ挿通孔１０１が形成されており、前側のスライドガイド部９８はさらに左右に分割され、施錠受け部８１の前面側中央部の欠込み部９５下方に板バネ収容部１０７が形成されている。この板バネ収容部には板バネ１０２が固定されており、板バネ１０２は、その先端部１０３が、欠込み部９５及び板バネ挿通孔１０１を挿通するように、後方斜め上方に向かって延出すると共に変位カム当接部９７の下面に当接しており、間隙填塞部材９６を上方に付勢している。さらに、前側のスライドガイド部９８の下端部には、フック部材４４との干渉を防止するための逃げ部１０４が形成されており、後側のスライドガイド部９９の下端部には傾斜面１０５が形成されている。そして、この傾斜面１０５の鉛直面に対する傾斜角度β（図７（ａ）参照）は、受け部係合部７２の基端面７３の傾斜角度αと同一又はそれ以下に設定されている。
【００３０】
このように、本実施の形態に係る施錠装置は、ベース部材８１、昇降操作部材８５、及び間隙填塞部材９６の各構成部品が予め組み付けれた状態で右側枠杆３６に取り付けられるようになっているため、取付作業の効率化、取付誤差の微小化を図ることができる。
【００３１】
次に、本発明の第１の実施の形態に係る遊技機の施錠装置の作用について説明する。なお、該実施の形態に係る施錠装置は上部及び下部共に同様の構成を有しているので、以下の説明では、説明の簡略化のため、施錠装置の上部を主体に説明する。
【００３２】
前枠１３をヒンジ金具１４ａ，１４ｂを支点として回転させ、外枠１２に対して前枠１３を押し込むと、図６（ａ）及び図１０（ａ）に示すように、受け部係合部７２が施錠受け部８１の下端と係合し、フック部材４４は下方に傾動する。この時、挟持片部７７によりフック部材４４の左右方向の変位が防止されているため、フック部材４４の傾動動作は円滑且つ確実に行われる。
【００３３】
そして、前枠１３をさらに閉鎖位置まで押し込むと、受け部係合部７２の頂部が施錠受け部８１を潜り越え、受け部係合部７２は施錠受け部８１に掛止する。受け部係合部７２の基端面７３の傾斜角度αが傾動支点４３を中心として基端面７３の最下点を通過するように描いた半径ｒの円弧より基端面７３が外側に位置するように設定されており、また、施錠受け金具当接部７５が半球状に形成されていると共に左右方向移動規制部８２の下端外面に傾斜面８４が形成されているため、上記した施錠受け部８１に対する受け部係合部７２の掛止動作は円滑且つ確実に行われる。また、この時、左右方向移動規制ピン７４の先端は案内部９１により案内され、受け座９０に当接すると共に、施錠受け金具当接部７５が左右方向移動規制部８２に当接するため、フック部材４４の左右方向の揺動が規制され、外枠１２に対する前枠１３の左右方向の揺動が抑止される（図１０（ｂ）参照）。
【００３４】
次に、このように受け部係合部７２が施錠受け部８１に掛止した状態において、前枠１３の前面側から操作具９３を操作部８７の係合部９２に係合させ、その操作具９３を前面から見て左方向に回転させる。或いは、背面側から操作具９３を変位カム８８の係合部９４に係合させ、その操作具９３を背面から見て右方向に回転させる。そうすると、変位カム８８が回転し、図６（ｂ）及び図１０（ｂ）に示すように、間隙填塞部材９６は板バネ１０２の付勢力に抗して施錠受け部８１に沿って降下する。そして、フック部材４４の基端面７３と施錠受け部８１の後面との間の前後方向の間隙１００に間隙填塞部材９６の後側のスライドガイド部９９の下端部が進入し、フック部材４４の前後方向の移動が規制される。
【００３５】
より具体的には、例えば、図７（ａ）に示すように、フック部材４４の基端面７３と施錠受け部８１の後面との間に前後方向の間隙１００がまったく生じない理想的な場合には、間隙填塞部材９６の後側のスライドガイド部９９の下端部はフック部材４４の受け部係合部７２の状態に当接した状態となる。一方、図７（ｂ）に示すように、その間隙１００が広い場合（ｔ１の場合）には、後側のスライドガイド部９９の下端部はその間隙１００に深く進入し、また、図７（ｃ）に示すように、その間隙１００が狭い場合（ｔ２の場合）には、後側のスライドガイド部９９の下端部はその間隙１００に浅く進入する。そして、両方いずれの場合にも、間隙１００は、間隙填塞部材９６によって填塞され、これにより、フック部材４４の前後方向の移動が規制され、外枠１２に対する前枠１３の前後方向の揺動が抑止される。
【００３６】
上記したように、後側のスライドガイド部９の下端部の傾斜面１０５の傾斜角度βが受け部係合部７２の基端面７３の傾斜角度αと同一又はそれ以下の角度に設定されているため、後側のスライドガイド部９９の下端部の間隙１００への進入動作はいずれも円滑且つ確実に行われる。
【００３７】
このように、本実施の形態によれば、パチンコ遊技機１１の出荷時に製造ライン上において、外枠１２に前枠１３をセットした状態で一方の施錠装置１５の操作及び調整を背面側から目視しながら行った後に、それを基準として、他方の施錠装置１５を前枠１３の前面側から操作及び調整を行うことができ、また、パチンコ遊技機１１を出荷後、遊技島に取り付ける迄の過程において、前後方向に間隙１００ができたとしても、施錠装置１５を前枠１３の前面側から操作及び調整を行うことができる。したがって、施錠装置１５の操作、調整及び微調整を容易且つ確実に行うことができ、前枠１３の揺動防止をより確実且つより好適に行うことができる。
【００３８】
なお、上記実施の形態においては、作用部である変位カム８８を介して間隙填塞部材９６に対して降下方向にのみ力を作用させ、上昇方向には板バネ１０２の付勢力により移動させるように構成しているが、例えば、昇降操作部材としてピニオンを使用すると共に、間隙填塞部材としてラックを使用し、昇降いずれの方向にも、前枠１３の前面側及び又は後面側から操作具９３により操作可能なように構成してもよい。
【００３９】
また、上記実施の形態において、左右揺動抑止機構として、フック部材４４側に側方当接部である左右方向移動規制ピン７４を設け、施錠受け金具３７側に被側方当接部である受け座９０を設けているが、反対に、フック部材４４側に被側方当接部を設け、施錠受け金具３７側に側方当接部を設けてもよい。
【００４０】
さらに、上記実施の形態では、本発明をパチンコ遊技機１１に適用した場合について説明したが、これは単なる例示に過ぎず、本発明は、スロットマシン等、パチンコ遊技機１１以外の他の遊技機にも適用可能であることは言う迄もない。
【図面の簡単な説明】
【００４１】
【図１】本発明の実施の形態におけるパチンコ遊技機を示す正面図、及びその施錠装置を拡大して示す正面図である。
【図２】本発明の実施の形態におけるパチンコ遊技機を開放した状態を示す背面図、及びその施錠装置を拡大して示す背面図である。
【図３】本発明の実施の形態におけるパチンコ遊技機を示す側面図、及びその施錠装置を拡大して示す側面図である。
【図４】本発明の実施の形態に係る遊技機の施錠装置を示す分解斜視図である。
【図５】本発明の実施の形態における施錠装置を示す分解斜視図である。
【図６】（ａ）は本発明の実施の形態に係る遊技機の施錠装置の操作前の状態を示す側面図であり、（ｂ）はその操作後の状態を示す側面図である。
【図７】（ａ）〜（ｃ）は、本発明の実施の形態に係る遊技機の施錠装置の作用を示す側断面図である。
【図８】本発明の実施の形態に係る遊技機の施錠装置を示す平断面図である。
【図９】本発明の実施の形態に係る遊技機の施錠装置を示す平断面図である。
【図１０】（ａ）は本発明の実施の形態に係る遊技機の施錠装置の操作前の状態を示す背面図であり、（ｂ）はその操作後の状態を示す背面図である。
【符号の説明】
【００４２】
１１          パチンコ遊技機
１２          外枠
１３          前枠
１５          施錠装置
３５          施錠金具
３７          施錠受け金具
４４          フック部材
８１          施錠受け金具
８５          昇降操作部材
８８          変位カム
９２          係合部
９３          操作具
９６          間隙填塞部材
１００        間隙
【図１】
2005304823.tif 000003
【図２】
2005304823.tif 000004
【図３】
2005304823.tif 000005
【図４】
2005304823.tif 000006
【図５】
2005304823.tif 000007
【図６】
2005304823.tif 000008
【図７】
2005304823.tif 000009
【図８】
2005304823.tif 000010
【図９】
2005304823.tif 000011
【図１０】
2005304823.tif 000012